(57)【要約】【課題】  携帯通信機を接続する手間を省きつつ、携帯通信機のユーザーが契約コストが嵩むことなく、通信環境を変え得るようにする。【解決手段】  通信装置１は、携帯電話機１０と非接触通信可能で該携帯電話機１０から通信に必要な情報を読み取る非接触通信部３と、ユーザーにより操作されて通信に関する入力が行なわれる入力部４と、外部と通信が可能な通信部６と、非接触通信部３により読み込んだ携帯電話機１０の前記情報を設定し前記入力部４により入力があったときには通信部を制御して外部と通信させる通信代行制御部５とを備えて構成されている。【選択図】  図１
2006222655.tif 000002
【特許請求の範囲】
【請求項１】
携帯通信機と非接触通信可能で該携帯通信機から通信に必要な情報を読み取る情報読取手段と、
外部と通信が可能な通信手段と、
前記情報読取手段により読み込んだ前記携帯通信機の前記情報を設定し前記通信手段を制御して外部と通信させる通信代行制御手段と
を備えてなる通信装置。
【請求項２】
車載用であることを特徴とする請求項１に記載の通信装置。
【請求項３】
前記携帯通信機は携帯電話機であることを特徴とする請求項１又は２に記載の通信装置。
【請求項４】
通信手段は、他の電話機と通信可能であり、
ハンズフリー機能またはデータ通信機能を備えたことを特徴とする請求項３に記載の通信装置。
【発明の詳細な説明】
【技術分野】
【０００１】
本発明は、携帯通信機に代わって通信が可能な通信装置に関する。
【背景技術】
【０００２】
例えば車両用ナビゲーション装置でデータ通信を行う場合、ナビゲーション装置に搭載されている通信機器を使用するか、ユーザーが所有している携帯通信機（携帯電話機や、通信カード）をケーブルを介してナビゲーション装置に接続してデータ通信を行うようにしている。なお、本発明と直接関係はないが、特許文献１には、相手側から送られてきた電話番号を通話中に電話番号登録メモリに登録可能な携帯電話機の電話番号登録装置が記載されている。
【特許文献１】特開平１１−８８９５８号公報
【発明の開示】
【発明が解決しようとする課題】
【０００３】
前者（ナビゲーション装置の通信機器を使用する）の場合、インターネットサービスプロバイダと契約する必要があり、ナビゲーション装置においてデータ通信を行わない場合でも契約料は支払う必要があり、経費が嵩むものであった。
【０００４】
また、後者（携帯通信機を接続して使用する）の場合には、契約料は支払うものの使用頻度は一般的に高く、使用価値も高いといえる。しかしながら、この携帯通信機はケーブルでナビゲーション装置の通信機器と接続する必要があり、面倒であり、また、通信速度が低かったりしてデータ通信速度が向上しないこともあった。特に、車両においてデータ通信する場合には、通信速度の向上など通信環境の向上が要求される。
【０００５】
本発明は、上述の事情に考えてなされたものであり、その目的は、携帯通信機を接続する手間を省きつつ、携帯通信機のユーザーが契約コストが嵩むことなく、通信環境を変えることが可能な通信装置を提供するにある。
【課題を解決するための手段】
【０００６】
請求項１の通信装置によれば、情報読取手段によりユーザーが所有する携帯通信機における通信に必要な情報を読み取り、通信代行制御手段がその情報を設定する。そして、通信代行制御手段は、通信手段を制御して外部と通信させる。従って、この請求項１の通信装置が携帯通信機の契約情報などの通信に必要な情報に基づいて、該携帯通信機になり代わって通信を行う。この場合、本発明通信装置の通信速度などの通信環境を当該携帯通信機と異なる環境に設定しておくことで、契約料などを余分に負担することなく、異なる通信環境で外部とデータ通信ができる。従って、本発明の通信装置の通信速度を速い構成としておけば、携帯通信機の契約料で通信速度の向上を図ることができる。そして、情報読取手段は携帯通信機からの情報読取りを非接触通信により行なうから、携帯通信機を本発明通信装置に接続する手間を省くことができる。
【０００７】
この場合、当該発明の通信装置は車載用とすることにより（請求項２の発明）、通信速度が要求される車載用通信装置として好適する。また、前記携帯通信機は携帯電話機であっても良く（請求項３の発明）、このようにすると、携帯電話機の機種が、通信速度が遅い機種であってもこの携帯電話機になり代わって通信速度の早いデータ通信を行うことができる。
【０００８】
また、通信手段は、他の電話機と通信可能で、ハンズフリー機能またはデータ通信機能を備える構成としても良く（請求項４の発明）、このようにすると、本発明通信装置を、ユーザーが所有する携帯電話機になり代わって他の電話と通信できると共に、ハンズフリー通話またはデータ通信ができる。
【発明を実施するための最良の形態】
【０００９】
以下、本発明の一実施例につき図面を参照しながら説明する。図２には、本発明に係る通信装置１を搭載した車両２が示されている。図１には、通信装置１は車載用であり、例えばカーナビゲーション装置に組み込まれている。以下、これについて説明する。通信装置１は、非接触通信部３と、入力手段たる入力部４と、通信代行制御手段たる通信代行制御部５と、通信手段たる通信部６と、表示装置７と、マイク８と、スピーカ９とを備えて構成されている。
【００１０】
非接触通信部３は、携帯通信機たる携帯電話機１０と非接触通信が可能な構成である。この場合、携帯電話機１０には、自局電話番号や契約情報などの通信に必要な情報を記憶したＩＣタグを内蔵させた構成としている。また、非接触通信部３は、ＩＣタグの内部情報を読み取る読取器により構成している。なお、携帯電話機１０の表示部にＱＲコード（登録商標）などの情報コードを表示させるようにし、非接触通信部３はこの情報コードを読み取る構成としても良い。
【００１１】
前記入力部４は、操作パネルに設けられたキースイッチや、リモートコントロール装置のキースイッチなどにより構成されている。また、入力部４は、表示装置７の画面におけるタッチパネルスイッチにより構成しても良い。通信代行制御部５は、ＣＰＵやメモリなどを含んで構成されており、そのメモリに前記携帯電話機１０には、前記非接触通信部３により読み取った自局電話番号や契約情報などの通信に必要な情報を記憶する（設定する）ものであり、その情報に基づいて前記通信部６を制御するものである。
【００１２】
通信部６は通信代行制御部５により制御されるものであり、携帯電話網１１を介して外部電話やサーバーと通信可能な構成である。表示装置７は例えば液晶ディスプレーから構成されている。
【００１３】
上記構成の通信装置１の作用について説明する。ユーザーが車両２に乗車した場合に、ユーザーが、自身が所有する携帯電話機１０を通信装置１に近づけると、非接触通信部３がこの携帯電話機１０と非接触通信して当該携帯電話機１０から、通信に必要な情報（自局電話番号、端末番号、契約情報等）を取得する。この情報は、通信代行制御部５に与えられ、該通信代行制御部５は、これが有するメモリに記憶する。これにより、通信装置１が携帯電話機１０になり代わり動作することが可能となる。なお、この通信装置１は処理速度や通信速度が高い構成としておくと良い。
【００１４】
ユーザーが、入力部４を操作して、例えば、携帯電話網１１や図示しない広域通信網を介してサーバーからデータ情報（例えば音楽配信情報や道路状況や渋滞情報など）をダウンロードする入力がなされると、携帯電話機１０の契約内容に基づいて、通信代行制御部５が通信部６を制御してデータ情報をダウンロードする。この場合、通信速度は当該通信装置１の通信速度を使用することができる。
【００１５】
また、この通信装置１はハンズフリー機能を備えており、通信代行制御部５がハンズフリー通話制御手段として機能するようになっている。そして、マイク８は、ユーザーが発した音声を無線通信部として入力する送話音声入力部に相当し、スピーカ９は、受信された音声を受話音声として出力する受話音声出力部に相当する。
【００１６】
通信部６が携帯電話網１１から着信すると、通信代行制御部５はスピーカ９に呼び出し鈴の音を出力させ、ユーザーが入力部４を操作して所定の応答処理を行なうと、通信代行制御部５は、ハンズフリー通話モードとする。すなわち、受話音声をスピーカ９から出力させ、ユーザーの発した音声をマイク８により入力して通信部６を介して携帯電話網１１に送信する。この場合も、通信速度は当該通信装置１の通信速度を使用することができる。ハンズフリー通話モードの開始は携帯電話網１１からの着信から所定時間経過により自動的に行うようにしても良い。
【００１７】
上記実施例の通信装置１によれば、非接触通信部３によりユーザーが所有する携帯電話機１０における通信に必要な情報を読み取り、通信代行制御部５がその情報を設定し、該通信代行制御部5は、通信部６を制御して外部と通信させる。従って、この通信装置１が携帯電話機１０の契約情報などの通信に必要な情報に基づいて、該携帯通信機１０になり代わって通信を行うことができる。この場合、この通信装置１の通信速度などの通信環境を当該携帯電話機１０と異なる環境に設定しておくことで、契約料などを余分に負担することなく、異なる通信環境で外部とデータ通信ができる。従って、通信装置１の通信速度を携帯電話機１０よりも速くする構成としておけば、携帯電話機１０の契約料で通信速度の向上を図ることができる。そして、非接触通信部３は携帯電話機１０からの情報読取りを非接触通信により行なうから、携帯電話機１０を通信装置１に接続する手間を省くことができる。
【００１８】
また、当該通信装置１を車載用としたことにより、通信速度が要求される車載用通信装置として好適する。さらにまた、携帯通信機として携帯電話機に適用したから、携帯電話機の機種が、通信速度が遅い機種であってもこの携帯電話機１０になり代わって通信速度の早いデータ通信を行うことができる。
【００１９】
また、通信部６を、他の電話機と通信可能とし、当該通信装置１がハンズフリー機能を備える構成としたから、通信装置１を、ユーザーが所有する携帯電話機１０になり代わって他の電話と通信できると共に、ハンズフリー通話ができる。この場合、当該通信装置１がデータ通信機能を備えた構成としても良く、このようにすると、通信速度の早いデータ通信が可能となる。
【００２０】
なお、本発明の実施例は、上記実施例に限定されるものではなく、カーナビゲーション装置に組み込まなくて良いし、また、携帯通信機としては携帯電話機に限られず、通信カードなどにも適用できる。また、情報読取手段と携帯通信機との非接触通信は、無線ＬＡＮやBluetooth（登録商標）でも良い。
【図面の簡単な説明】
【００２１】
【図１】本発明の一実施例を示す通信装置のブロック図
【図２】通信装置を車両に搭載した概略構成図
【符号の説明】
【００２２】
図面中、１は通信装置、２は車両、３は非接触通信部（情報読取手段）、４は入力部、５は通信代行制御部（通信代行制御手段）、６は通信部（通信手段）、１０は携帯電話機（携帯通信機）を示す。
【図１】
2006222655.tif 000003
【図２】
2006222655.tif 000004